(57)【要約】      （修正有）【課題】書籍が取り出し易く、書籍を取り出す際に見出し部に手が触れてしまった場合でも、書籍が落下するのを防止できる書棚用インデックスを提供する。【解決手段】ブックエンド２の起立板３に被せて取り付ける環状の取付部１０と、その一側縁部に設けられた可撓性部材からなる連結部２０と、それに連結されるインデックス部３０と、を含んで書棚用インデックスを構成する。取付部の他側部には、舌片状の爪部１２が設けられており、その爪部に起立板の側縁部を係止させることで、サイズの異なるブックエンドにも使用できるようにした。【選択図】図１
2013128730.tif 000002
【特許請求の範囲】
【請求項１】
ブックエンド（２）の起立板（３）に被せて取り付ける取付部（１０）と、
該取付部（１０）の一側縁部に設けられた可撓性部材からなる連結部（２０）と、
該連結部（２０）に連結されるインデックス部（３０）と、を含んで構成した書棚用インデックス（１）であって、前記取付部（１０）の他側部に、前記一側部に向けて突出する舌片状の爪部（１２）を設け、該爪部（１２）に前記起立板（３）の側縁部（４）を係止させて取り付けるようにしたことを特徴とする書棚用インデックス。
【請求項２】
前記取付部（１０）を可撓性を有するシート部材で構成し、該シート部材を前記一側部に向けて切り込みむことで、前記爪部（１２）を形成したことを特徴とする請求項１に記載の書棚用インデックス。
【請求項３】
前記取付部（１０）は、可撓性を有するシート部材を前記連結部（２０）において接合して環状に形成され、下端の開口部を介して、前記起立板（３）に被せるように構成されたことを特徴とする請求項１又は請求項２に記載の書棚用インデックス。
【請求項４】
前記連結部（２０）は、表用シート部（１１）と裏用シート部（１３）を中間部において上下方向に向けて接合して形成され、
該連結部（２０）の下端部（３２）から一側縁部（３３）に沿って接合することで袋状のインデックス部（３０）を形成したことを特徴とする請求項１〜請求項３の何れか１つの請求項に記載の書棚用インデックス。
【発明の詳細な説明】
【技術分野】
【０００１】
本発明は、書棚に見出しを設けるための書棚用インデックスに関し、特に、書籍が取り出し易く、着脱が容易な書棚用インデックスに関する。
【背景技術】
【０００２】
書店や図書館などで使用される書棚には、書籍へのアクセスを容易にするためにインデックスが設けられるが、かかる書棚用インデックスとして、ブックエンドの起立板に舌片状の見出し部を設けたものが各種提案されている。
特許文献１には、起立板の上端部を前方に延長し、舌片状の見出し部を構成する技術が提案されている。特許文献２には、起立板の前端部に嵌合部を設け、その嵌合部に、板状の見出し部材の後端部を着脱自在に取り付ける技術が提案されている。
【先行技術文献】
【特許文献】
【０００３】
【特許文献１】特開２００６−２９６８４９号公報
【特許文献２】特開２００７−１１７１９１号公報
【発明の概要】
【発明が解決しようとする課題】
【０００４】
しかし、いずれの書棚用インデックスも、書棚から書籍を取り出す際に、誤って見出し部に手が触れると、見出し部の回動に伴ってブックエンドの起立板が回動し、起立板の回動に伴って、そこに立て掛けられていた書籍が移動し、書棚から落下するという事態が生じていた。
また、書籍と共にブックエンドも落下し、見出し部材やブックエンドが破損する事態も多発していた。
【０００５】
そこで、本発明は、書籍が取り出し易く、書籍を取り出す際に見出し部に手が触れてしまった場合でも、ブックエンドの起立板の回動を防ぎ、書籍やブックエンドの落下を防止することができる書棚用インデックスの提供を目的とする。
【課題を解決するための手段】
【０００６】
上記課題を解決するために、本発明に係る書棚用インデックスは、ブックエンドの起立板に被せて取り付ける取付部と、該取付部の一側縁部に設けられた可撓性部材からなる連結部と、該連結部に連結されるインデックス部と、を含んで構成した書棚用インデックスであって、前記取付部の他側部に、前記一側部に向けて突出する舌片状の爪部を設け、該爪部に前記起立板の側縁部を係止させて取り付けるようにしたことを特徴とする書棚用インデックス。
前記取付部を可撓性を有するシート部材で構成し、該シート部材を前記一側部に向けて切り込みむことで、前記爪部を形成してもよい。
この場合、前記取付部は、可撓性を有するシート部材を前記連結部において接合して環状に形成され、下端の開口部を介して、前記起立板に被せるように構成してもよい。
また、前記連結部は、表用シート部と裏用シート部を中間部において上下方向に向けて接合して形成され、該連結部の下端部から一側縁部に沿って接合することで袋状のインデックス部を形成してもよい。
【発明の効果】
【０００７】
請求項１に係る書棚用インデックスは、ブックエンドの起立板に被せられる取付部の一側縁部に、可撓性部材からなる連結部を設け、該連結部を介してインデックス部を設けたので、書籍を取り出す際にインデックス部に手が触れてしまった場合でも、連結部を中心にインデックス部自身が回動し、元の位置へと復帰する。このため、起立板が回動するのを防止することができ、ブックエンドの起立板と共に、そこに立て掛けられた書籍が移動し、書棚から落下するという事態を回避できる。取付部の他側部に、一側部に向けて突出する舌片状の爪部を設け、その爪部に起立板の側縁部を係止させて取り付けるようにしたので、起立板の横方向のサイズが小さなブックエンドであっても、外れないように装着することができる。
【０００８】
請求項２に係る書棚用インデックスは、前記取付部を可撓性を有するシート部材で構成し、該シート部材を前記一側部に向けて切り込みむことで、前記爪部を形成したので、爪部を容易に製造することができる。
また、取付部を可撓性を有するシート材で構成したので、小さいサイズの起立板に取り付けて余った部分は折り曲げて処理することができる。
【０００９】
請求項３に係る書棚用インデックスは、取付部を、可撓性を有するシート部材を連結部において接合することで、環状に形成したので、上端と下端に開口部を有し、一側部に可撓性部材からなる連結部を有する構成の取付部を容易に製造することができる。
また、環状の取付部の下端開口部からブックエンドに被せ、その起立板の上端を、上端開口部において露呈させることができるので、起立板の高さが異なるブックエンドに使用した場合であっても、同一の高さにインデックス部を位置させることができる。
【００１０】
請求項４に係る書棚用インデックスは、表用シート部材と裏用シート部材とを中間部において上下方向に向けて接合することで連結部を形成し、その連結部の下端部から一側縁部に沿って接合することで袋状のインデックス部を形成したので、取付部の一側縁部に設けられた可撓性部材からなる連結部を介してインデックス部を設けた構成の書棚用インデックスを、容易に製造することができる。
また、インデックス部が袋状に形成されるので、見出し用紙を挿入するだけで容易にインデックス表示ができるようになる。
【図面の簡単な説明】
【００１１】
【図１】本実施形態に係る書棚用インデックスを示す斜視図である。
【図２】上記書棚用インデックスの正面図である。
【図３】上記書棚用インデックスの背面図である。
【図４】上記書棚用インデックスの側面図である。
【図５】上記書棚用インデックスの平面図である。
【図６】上記書棚用インデックスの底面図である。
【図７】上記書棚用インデックスの使用状態を示す斜視図である。
【図８】小サイズのブックエンドに使用した状態を示す斜視図である。
【図９】爪部の部分を拡大したＡ‐Ａ線断面図である。
【図１０】小サイズのブックエンドに装着した状態を示す要部拡大断面図である。
【図１１】上記書棚用インデックスの製造方法を示す説明図であり、（ａ）は表裏シート部材、（ｂ）は表裏シート部材の中間部を接合して連結部を製造する状態、（ｃ）は袋状のインデックス部を製造する状態を示す。
【図１２】上記書棚用インデックスの使用状態を示す説明図であり、（ａ）はブックエンドに取り付ける状態、（ｂ）はインデックス部に見出し用紙を挿入する状態を示す。
【図１３】書籍の間に書棚用インデックスを入れた状態を示す斜視図である。
【図１４】上記書棚用インデックスの異なる製造方法を示す説明図であり、（ａ）は一枚のシート部材、（ｂ）は両側縁部を対面するシート部と接合して連結部を製造する状態、（ｃ）は袋状のインデックス部を製造する状態を示す。
【発明を実施するための形態】
【００１２】
本発明の好適な実施形態について、添付図面に基づいて説明する。なお、実施形態は以下の形態に限定されるものではなく、本発明の課題を解決しうるものであれば他の態様も実施可能である。
図１は、本発明の第１実施形態に係る書棚用インデックス１を示す斜視図である。図２は正面図であり、図３は背面図であり、図４は側面図であり、図５は平面図であり、図６は底面図である。
【００１３】
この書棚用インデックス１は、図７に示すように、書店や図書館など、多くの書籍の中から所望の書籍を探す際に、そのアクセスを容易にするための見出しとして設けられるもので、ブックエンド２に装着して使用するものである。
この書棚用インデックス１は、ブックエンド２の起立板３に被せて取り付ける取付部１０と、その一側部に設けられた連結部２０と、それに連結されるインデックス部３０とを含んで構成される。
【００１４】
取付部１０は、可撓性を有するシート部材を前記連結部２０において接合して環状に形成されており、表用シート部１１には、複数箇所に爪部１２が形成されている。
この爪部１２は、図８に示すように、小さなサイズのブックエンド２’に使用する際に、起立板３’の側縁部４に係止させることで、しっかりと装着できるようにするために設けられたもので、図９に示すように、連結部２０が設けられている一側部側に向けて、舌片状に切り込むことによって形成される。
ブックエンド２’に取り付ける際には、爪部１２を裏用シート部１３の側に曲げた状態で、下端の開口部１２から、ブックエンド２’の起立板３’に嵌め込むことで、緩みなく装着できるようになる（図１０を参照）。
【００１５】
この取付部１０の一側部には、可撓性部材からなる連結部２０が設けられており、この連結部２０を介してインデックス部３０が設けられる。
インデックス部３０は袋状となっており、上端の開口部から、書物へのアクセスを容易にするための情報を記載した見出し用紙３１が挿入できるようになっている。
【００１６】
上記構成の書棚用インデックス１の製造方法を、図１１を参照して説明する。
所定の部位に爪部１２が形成された表用シート部材１１０と、裏用シート部材１３０とを中間部において上下方向に向けて接合することで連結部２０が形成され（図１１（ｂ）を参照）、その連結部２０の下端部３２から一側縁部３３に沿って接合することで袋状のインデックス部３０が形成されるように、双方のシート部材を接合する（図１１（ｃ）を参照）。
この場合、ポリプロピレンやポリエステルなどの可撓性を有する合成樹脂素材からなる表裏シート部材１１０，１３０を使用すれば、加熱によって容易に接合することができる。
【００１７】
上記構成の書棚用インデックス１の使用方法を説明する。先ず、図１２（ａ）に示すように、取付部１０の下端の開口部１４を介して、ブックエンド２の起立板３に被せる。そして、インデックス部３０に、所定の情報が記載された見出し用紙３１を挿入することで、インデックス付きのブックエンド２を構成し、それを、見出し情報に該当する書籍の収容場所に設置する。
【００１８】
図１３に示すように、小さいサイズのブックエンド２’に使用する場合は、起立板３の側縁部４を、爪部１２に係止させながら装着する。
爪部１２に係止させながら取り付けるので、起立板３の横方向の長さが異なるブックエンド２’に使用する場合でも、外れないように装着することができる。また、起立板３の前端部にインデックス部３０を位置させることができるので、異なるサイズのブックエンドを使用した場合であっても、整然とインデックスを設けることができる。取付部１０は、可撓性を有するシート材で構成されているので、余った部分１０’は折り曲げて処理することができる。
【００１９】
また、取付部１０が環状に形成されているので、下端開口部からブックエンド２に被せ、その起立板３の上端を、上端開口部において露呈させることが可能となる。このため、起立板３の高さが異なるブックエンド２に使用した場合であっても、同一の高さにインデックス部３０を位置させることができる。
よって、ブックエンド２のサイズごとに異なる種類の書棚用インデックスを購入する必要がなく、汎用性が高い。
【００２０】
書棚から書籍を取り出す際に、インデックス部３０に手が触れてしまった場合でも、連結部２０が可撓性を有するので、インデックス部３０のみが回動し、元の位置に復帰する。
このため、インデックス部３０の回動と共に、ブックエンド２の起立板３が回動するのを防止することができ、そこに立て掛けられた書籍が移動し、書棚から落下する事態を回避できる。
【００２１】
なお、本発明の取付部は、ブックエンドの起立板に被せて取り付けることができればよく、下端のみが開口する袋状体であってもよいし、可撓性を有しないものであってもよい。
爪部の切り込み形状は、如何なるものであってもよい。また、爪部は、切り込むのではなく、別部材からなる舌片を取り付けて形成してもよい。
インデックス部は、必ずしも袋状体である必要はなく、可撓性を有する連結部に別部材として取り付けてもよい。
【００２２】
表用シート部と裏用シート部を中間部において上下方向に向けて接合して形成される連結部２０は、例えば、図１４に示すように、一枚のシート部材２００の両側縁部２０１、２０２を対面するシート部と共に接合することで形成してもよい。この接合と同時に、連結部２０の下端部３１から一側縁部３２に沿って熱接合することで、袋状のインデックス部３０を同時に形成することができる。
このようにすれば、予め所定位置に爪部が設けられた単一のシート材のみで製造できるので、コストを低減することが可能となる。
【産業上の利用可能性】
【００２３】
本発明は、起立板を有するブックエンド状の部材に装着することで、あらゆる産業分野におけるインデックスとして使用することができる。  
【符号の説明】
【００２４】
１・・・書棚用インデックス
２、２’・・ブックエンド
３、３’・・・起立板
４・・・側縁部
１０・・・取付部
１１・・・表用シート部
１２・・・爪部
１３・・・裏用シート部
２０・・・連結部
３０・・・インデックス部
３１・・・見出し用紙
３２・・・下端部
３３・・・一側縁部
１１０・・・表用シート部材
１３０・・・裏用シート部材
【図１】
2013128730.tif 000003
【図８】
2013128730.tif 000004
【図９】
2013128730.tif 000005
【図１０】
2013128730.tif 000006
【図１１】
2013128730.tif 000007
【図１２】
2013128730.tif 000008
【図１３】
2013128730.tif 000009
【図１４】
2013128730.tif 000010
【図２】
2013128730.tif 000011
【図３】
2013128730.tif 000012
【図４】
2013128730.tif 000013
【図５】
2013128730.tif 000014
【図６】
2013128730.tif 000015
【図７】
2013128730.tif 000016